(57)【要約】      （修正有）【課題】従前より労働負担が大きく、危険性が高いとされてきた流体ジェットガンを利用したハツリ工事の作業性を改善し、ハツリ工事の安全性、作業効率の向上、作業者への労働負担の軽減、および経済性の改善を達成可能とする流体ジェットガン用自在銃架を提供する。【解決手段】肉厚状の銃座２を有し、該銃座２底部に、装着対象となる足場用鋼管や高所作業車の作業床用バケットの手摺などの剛性棒体９の中途部分に仮固定可能とするクランプ機構３を設け、該クランプ機構３とは反対側となる同銃座２天部に立設した垂直軸２０に雲台４の下部４１を回転自在に軸着し、同雲台４の上部４１に水平軸４２を介して流体ジェットガン６銃身６０仮固定用の仮固定機構５１を有する銃身装着体５が回転自在に軸着されてなる流体ジェットガン用自在銃架１である。【選択図】図１
0003147784.tif 000002
【実用新案登録請求の範囲】
【請求項１】
肉厚状の銃座を有し、該銃座底部に、装着対象となる足場用鋼管や高所作業車の作業床用バケットの手摺などの剛性棒体の中途部分に対し、同銃座を平行状に仮固定可能とするクランプ機構を設け、該クランプ機構とは反対がわとなる銃座天部に鉛直に設けた垂直軸に対し、回動自在とするよう雲台下部を軸着すると共に、流体ジェットガン銃身用の仮固定機構を有する銃身装着体が、水平軸を介して当該垂直軸に直交する軸心回りに回動自在とするよう該雲台上部に軸着されてなるものとしたことを特徴とする流体ジェットガン用自在銃架。
【請求項２】
肉厚状の銃座を有し、該銃座底部に、装着対象となる足場用鋼管や高所作業車の作業床用バケットの手摺などの剛性棒体の中途部分に対し、同銃座を平行状に仮固定可能とするクランプ機構を設け、該クランプ機構とは反対がわとなる銃座天部に鉛直に設けた垂直軸に対し、回動自在とするよう雲台下部を軸着すると共に、流体ジェットガン銃身用の仮固定機構を有する銃身装着体が、水平軸を介して当該垂直軸に直交する軸心回りに回動自在とするよう該雲台上部に軸着されてなり、該銃身装着体に仮固定した流体ジェットガン銃身を当該剛性棒体の中途部分に対し、強固にクランプ固定可能であって、同流体ジェットガン銃身が上下左右に指向操作自在となるよう支持可能としてなるものとしたことを特徴とする流体ジェットガン用自在銃架。
【請求項３】
肉厚板状の銃座を有し、該銃座底部に、装着対象となる足場用鋼管や高所作業車の作業床用バケットの手摺などの剛性棒体の中途部分に対し、同銃座を平行状に仮固定可能とするクランプ機構を設け、該クランプ機構とは反対がわとなる銃座天部に鉛直に設けた垂直軸に対し、回動自在とするよう雲台下部を軸着すると共に、該銃座天部に、該雲台下部の垂直軸周りの回動角度を左右６０度、左右合計１２０度の角度範囲に規制可能とする水平回り規制部を設けた上、流体ジェットガン銃身用の仮固定機構を有する銃身装着体が、水平軸を介して当該垂直軸に直交する軸心回りに、上下回動自在とするよう該雲台上部に軸着され、同銃身装着体の前端がわおよび後端がわの各下がわ周壁が、該雲台下部外周縁の対応箇所に干渉し、同銃身装着体の上下回動角度範囲が上下４５度、上下合計９０度に規制されてなるものとし、該銃身装着体に仮固定した流体ジェットガン銃身を当該剛性棒体の中途部分に対し、強固にクランプ固定可能であって、同流体ジェットガン銃身が規制された角度範囲内で上下左右に指向操作自在となるよう支持可能としてなるものとしたことを特徴とする流体ジェットガン用自在銃架。
【請求項４】
クランプ機構が、剛性棒体の中途外周壁周りに一周するよう装着可能な２分割円弧状の接合縁を有した上下顎部を有し、それら上下顎部の一方端同士を水平ピンで回動自在に連結し、該一方端とは反対がわとなる上顎部他端に、水平ピンを介して、緊締ボルトの基端環部が回動自在に連結されると共に、同緊締ボルト先端がわの雄ネジ刻設範囲に緊締ナットを螺着した上、該下顎部の遊端には、該緊締ボルトの先端がわが嵌合可能であって、緊締ナットの座面を兼ねたＵ字型の嵌合溝が刻設してあるクランプモジュールの２個か、または３個以上の複数個からなり、それらクランプモジュールの各上顎部上部が、銃座天部の垂直軸を跨ぐ底部の２箇所か、または装着対象となる剛性棒体の長さ方向に沿って均衡する３箇所以上かの何れか一方に強固に結合、一体化されてなるものとした、請求項１ないし３何れか一項記載の流体ジェットガン用自在銃架。
【請求項５】
銃身装着体は、流体ジェットガン銃身の中途適所を、そのノズル先端がわより貫通状に装着可能な寸法、形状に設定した銃身筒からなり、該銃身筒周壁の水平軸を跨ぐ２箇所か、または筒長に渡って均衡する３箇所以上かの何れか一方に、同銃身筒周壁に外がわから中心に向けて貫通するよう抑えボルトを螺着してなる仮固定機構を設けてなるものとした、請求項１ないし４何れか一項記載の流体ジェットガン用自在銃架。
【請求項６】
緊締ナットおよび抑えボルト、または、緊締ナットもしくは抑えボルトの各頭部には、螺合の回転軸心に直交する方向に、バールや鉄梃などの工具類を装着可能な寸法、形状に設定した貫通孔を形成した十分な強度のリング部が一体化されてなるものとした、請求項４または５何れか一項記載の流体ジェットガン用自在銃架。                                                                
【考案の詳細な説明】
【技術分野】
【０００１】
この考案は、流体ジェットガン利用の高圧洗浄技術に関するものであり、流体ジェットガン用の銃架を製造、利用する分野は勿論のこと、銃架の輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                            
【背景技術】
【０００２】
（着目点）
近年、国内のビルや橋脚、トンネル、ダム、下水道などの鉄筋コンクリート製建造物の外壁ハツリ工事には、従前まで利用されてきたエアブレーカーなどの建設機械を用いた工事から、それらに比較して振動や騒音が少ない上に、健全なコンクリート壁深部にまで達するようなクラックを発生しないという利点を有する超高圧水によるハツリ作業に取って代わるようになってきており、このように劣化したコンクリート壁を削り剥がすほどの水圧を安全に取り扱うには、相当の技術と安全知識とを身に付けた熟練者が携わる必要がある。
【０００３】
超高圧水を利用したハツリ工事には、工事対象の建築物外壁に沿って設置された足場や、高所作業車の作業床用バケット上に乗ったハツリ作業者が、流体ジェットガンのノズル先端を該建築物外壁に向けて抱えるように身構え、超高圧水を外壁目掛けて吹き付け、劣化したコンクリート壁を剥がすよう、作業を進めるものであるが、流体の噴出圧力による反動を連続的に受けながら流体ジェットガン銃身の向きを適切にコントロールするには大変な体力を要し、銃身を下に向けると上方向の反動があり、銃身を上に向けると下向きの反動が生じ、左に向ける場合には右へ、また、右に向ける場合には左へと銃身が動こうとして非常に不安定になり、常に緊張した状態で作業に集中しなければ安全が保てないという性質があり、さらに、壁面から跳ね返る水や粉塵などがハツリ作業者の全身に容赦なく吹き返し、足場やバケットの床が濡れて足下を滑り易くし、流体ジェットガンを１人で保持するハツリ作業には大きな危険を伴い、体力と神経とを非常に消耗してしまう作業となっていた。
【０００４】
（従来の技術）
こうした状況を憂慮し、例えば、下記の特許文献１（１）に提案されているものに代表されるように、走行可能な縦移動台車に搭載した昇降台にターンテーブルを設け、このターンテーブルにチルト機構、支持フレームを介してガイドレール部材が支持されると共に、該ガイドレール部材に沿ってラックピ二オン機構にて進退移動可能とした走行台車を設け、ノズル支持部材の一方が該支持フレームの端部から突出するよう走行台車に取付けられた上、高圧水発生手段を接続した水ジェットノズルをノズル支持部材の先部に設けられた狭隘部に装着し、これらの制御装置を設けてなりものとして遠隔操作可能としたハツリ装置や、同特許文献１（２）に見られるような、クローラ方式の自走車の荷台に、ハツリロボットを形成する高圧水発生装置、先端にハツリ工具を備えた旋回及び俯仰可能かつ伸縮可能なブーム、発電機、および油圧制御装置を積載してなる、ハツリ装置などが散見される。
【０００５】
前記特許文献１（１）や特許文献１（２）に示されているような走行用の台車上に流体ジェットガンや、その姿勢やノズル位置、および高圧流体の供給、停止などの一連の作業動作を遠隔操作可能としたものは、何れも作業者が直接、流体ジェットガンを保持してハツリ作業を行う場合に比較して、作業者への労働負担を大幅に低減して安全性を高めることができるという利点が得られるものとなっているが、その一方で、流体ジェットガンが走行用の台車上に搭載されているため、複雑な形状の外壁や狭い空間内などにおける作業への対応が困難であり、ハツリ作業中に壁面の加工状態を目視確認できず、ハツリ作業を一旦停止するか、ハツリ作業を終えた後に壁面の加工状態を確認するしかないという欠点がある上、ハツリ装置自体が複雑化、大型化してしまい初期投資やメンテナンスの経済的負担が非常に大きなものとなっていた。                                                                                
【特許文献１】（１）特開２００５−２９７１４０号公報    （２）特許公開２００２−２４２１２３号公報
【考案の開示】
【考案が解決しようとする課題】
【０００６】
（問題意識）
上述したとおり、従前までに提案のある各種自走型、遠隔操作型のハツリ装置は何れも、作業者が直接流体ジェットガンを保持してハツリ作業を行う場合に比較して、加工壁面の状況を直接目視確認することができないという致命的な欠点があり、しかも正確な作業が困難で、十分に削り剥がされなかった壁面箇所については、確認と作業とを繰り返さなければならず、場合によっては作業効率を大幅に悪化させてしまう虞がある上、ハツリ装置が小型の場合には、大きな壁面や高所作業には不向きであり、また、大型の場合には、狭い場所での作業が不可能となってしまうという不便さがあって、何れの場合にも作業場所のスペースに合わせたサイズの装置を個別に準備せざるを得ず、経済的な負担が大きいという欠点があり、流体ジェットガンを利用したハツリ工事を安全で効率的、且つ経済的に行うことのできる技術については未だ存在しないという状況にある。
【０００７】
（考案の目的）
そこで、この考案は、従前より労働負担が大きく、危険性が高いとされてきた流体ジェットガンを利用したハツリ工事の作業性を改善し、ハツリ工事の安全性、作業効率の向上、作業者への労働負担の軽減、および経済性の改善を達成可能とする新たなハツリ工事技術の開発はできないものかとの判断から、逸速くその開発、研究に着手し、長期に渡る試行錯誤と幾多の試作、実験とを繰り返してきた結果、今回、遂に新規な構造の流体ジェットガン用自在銃架を実現化することに成功したものであり、以下では、図面に示すこの考案を代表する実施例と共に、その構成を詳述することとする。                                                          
【課題を解決するための手段】
【０００８】
（考案の構成）
図面に示すこの考案を代表する実施例からも明確に理解されるように、この考案の流体ジェットガン用自在銃架は、基本的に次のような構成から成り立っている。
即ち、肉厚状の銃座を有し、該銃座底部に、装着対象となる足場用鋼管や高所作業車の作業床用バケットの手摺などの剛性棒体の中途部分に対し、同銃座を平行状に仮固定可能とするクランプ機構を設け、該クランプ機構とは反対がわとなる銃座天部に鉛直に設けた垂直軸に対し、回動自在とするよう雲台下部を軸着すると共に、流体ジェットガン銃身用の仮固定機構を有する銃身装着体が、水平軸を介して当該垂直軸に直交する軸心回りに回動自在とするよう該雲台上部に軸着されてなるものとした構成を要旨とする流体ジェットガン用自在銃架である。
【０００９】
この基本的な構成を、換言するならば、肉厚状の銃座を有し、該銃座底部に、装着対象となる足場用鋼管や高所作業車の作業床用バケットの手摺などの剛性棒体の中途部分に対し、同銃座を平行状に仮固定可能とするクランプ機構を設け、該クランプ機構とは反対がわとなる銃座天部に鉛直に設けた垂直軸に対し、回動自在とするよう雲台下部を軸着すると共に、流体ジェットガン銃身用の仮固定機構を有する銃身装着体が、水平軸を介して当該垂直軸に直交する軸心回りに回動自在とするよう該雲台上部に軸着されてなり、該銃身装着体に仮固定した流体ジェットガン銃身を当該剛性棒体の中途部分に対し、強固にクランプ固定可能であって、同流体ジェットガン銃身が上下左右に指向操作自在となるよう支持可能としてなるものとした構成の流体ジェットガン用自在銃架といえる。
【００１０】
この基本的な構成からなる流体ジェットガン用自在銃架を、より具体的な構成のものとして示すと、肉厚板状の銃座を有し、該銃座底部に、装着対象となる足場用鋼管や高所作業車の作業床用バケットの手摺などの剛性棒体の中途部分に対し、同銃座を平行状に仮固定可能とするクランプ機構を設け、該クランプ機構とは反対がわとなる銃座天部に鉛直に設けた垂直軸に対し、回動自在とするよう雲台下部を軸着すると共に、該銃座天部に、該雲台下部の垂直軸周りの回動角度を左右６０度、左右合計１２０度の角度範囲に規制可能とする水平回り規制部を設けた上、流体ジェットガン銃身用の仮固定機構を有する銃身装着体が、水平軸を介して当該垂直軸に直交する軸心回りに、上下回動自在とするよう該雲台上部に軸着され、同銃身装着体の前端がわおよび後端がわの各下がわ周壁が、該雲台下部外周縁の対応箇所に干渉し、同銃身装着体の上下回動角度範囲が上下４５度、上下合計９０度に規制されてなるものとし、該銃身装着体に仮固定した流体ジェットガン銃身を当該剛性棒体の中途部分に対し、強固にクランプ固定可能であって、同流体ジェットガン銃身が規制された角度範囲内で上下左右に指向操作自在となるよう支持可能としてなるものとした構成を要旨とする流体ジェットガン用自在銃架となる。                                                                                
【考案の効果】
【００１１】
以上のとおり、この考案の流体ジェットガン用自在銃によれば、従前までの労働負担が大きく、危険性が高いとされてきた流体ジェットガンを利用したハツリ工事とは違い、上記したとおりの固有の特徴ある構成から、ハツリ工事の作業性を改善し、ハツリ工事の安全性、作業効率の向上、作業者への労働負担の軽減、および経済性の改善を効果的に達成可能とすることができるという秀れた特徴が得られるものである。
【００１２】
加えて、銃座天部の水平回り規制部が、雲台および銃身装着体の垂直軸周りの回動角度を左右夫々６０度、左右合計１２０度の角度範囲に規制可能とし、且つ、銃身装着体の前端がわ、および後端がわの各下がわ周壁が、該雲台下部外周縁の対応箇所に干渉し、同銃身装着体の上下回動角度範囲が上下夫々４５度、上下合計９０度に規制されてなるものは、上下左右の制限を超えて流体ジェットガン銃身が不用意に移動するのを強制的に規制して、より高い安全性を確保することができるものとなる。
【００１３】
また、クランプ機構が、剛性棒体の中途外周壁周りに一周するよう装着可能な２分割円弧状の接合縁を有した上下顎部からなるものは、取り付け対象となる剛性棒体の外径に合わせて、簡便に装着、取り外し可能であり、しかも各上下顎部の一方端同士を回動自在に連結すると共に、該一方端とは反対がわとなる上顎部他端に、緊締ボルトの基端環部が回動自在に連結し、同緊締ボルト先端がわの雄ネジ刻設範囲に緊締ナットを螺着した上、該下顎部の遊端には、該緊締ボルトの先端がわが嵌合可能であって、緊締ナットの座面を兼ねたＵ字型の嵌合溝が刻設してあるクランプモジュールの２個か、または３個以上の複数個からなるものとした場合には、剛性棒体の中途部分への取り付け作業が一段と容易で各段に迅速且つ確実で安全性の高い脱着作業を実現化することができるものとなる。
【００１４】
そして、該クランプモジュールが、銃座天部の垂直軸を跨ぐ底部の２箇所に設けられてなるものは、銃座に伝わる流体ジェットガンの反動を垂直軸の左右で均等に支持するものとなり、銃座に垂直軸周りの不要な回転力などを発生せずに、一段と安定且つ安全に流体ジェットガンを支持可能とするものとなり、さらに、銃座天部底部の、剛性棒体の長さ方向に沿って均衡する３箇所以上に、夫々クランプモジュールが配されたものは、より確実で安全に流体ジェットガンを支持することができるものとなる。
【００１５】
銃身筒周壁の水平軸を跨ぐ２箇所か、または筒長に渡って均衡する３箇所以上かの何れか一方に、同銃身筒周壁に外がわから中心に向けて貫通するよう抑えボルトを螺着してなる仮固定機構を設けてなるものは、流体ジェットガン銃身を銃身筒に貫通状に装着して簡単、迅速に各抑えボルトを締め付け、確実に仮固定することが可能となり、しかも各抑えボルトを緩めて流体ジェットガンを簡便に取り外すことができ、設置および撤去作業の安全性と作業効率とを各段に向上することができるものとなる。
【００１６】
そして、緊締ナットや抑えボルトの各頭部に、リング部を一体化形成してなるものは、該リング部の貫通孔にバールや鉄梃などの工具類を装着して螺合、螺解操作することができ、レンチやスパナなどの工具類を用いずに簡単、且つ強力に緊締し、また、緩めることができ、剛性棒体の中途部分への脱着作業性を大幅に改善することができるという秀れた効果を発揮する。                                                                                                      
【考案を実施するための最良の形態】
【００１７】
上記したとおりの構成からなるこの考案の実施に際し、その最良もしくは望ましい形態について説明を加えることにする。
銃座は、足場用鋼管や、高所作業車の作業床用バケットの手摺などの剛性棒体の中途部分に連結可能なクランプ機構と、流体ジェットガンを装着する雲台を支持する垂直軸とを十分な強度で連結可能とする機能を果たし、該クランプ機構と垂直軸とを連結する十分な剛性を持つ肉厚状のものとしなければならず、ステンレス製、チタン製、アルミニウム製、または、合金製などとする外、鋼製品に鍍金処理を施したものなど耐食性に秀れた素材を選択すべきであり、生産性や経済性などを考慮すると、後述する実施例に示すように、肉厚状のステンレス鋼板製のものとするのが望ましい。
【００１８】
クランプ機構は、銃座底部を足場用鋼管や、高所作業車の作業床用バケットの手摺などの剛性棒体の中途部分に簡便に、十分な強度をもって着脱自在に連結可能とする機能を果たし、銃座、雲台上に装着した流体ジェットガンの噴射圧力の反動を確実に、該剛性棒体の中途部分に伝達可能とするよう、十分な強度で保持可能なものとしなければならず、銃座天部の垂直軸を跨ぐ底部の２箇所か、または、銃座底部の装着対象となる剛性棒体の長さ方向に沿って均衡する３箇所以上かの何れか一方に強固に結合、一体化されてなるものとすべきであり、バックルやバンド、フランジおよびボルトなどの何れかの緊締構造からなるものとすることが可能であり、例えば後述する実施例に示すように、剛性棒体の中途外周壁周りに一周するよう装着可能な２分割円弧状の接合縁を有し、一方端同士を回動自在に連結した上下顎部を有するクランプモジュールの複数個からなり、各クランプモジュールの上顎部上部を銃座底部の適所に結合し、同上顎部他端に緊締ボルトの基端環部を回動自在に連結すると共に、同緊締ボルト先端がわの雄ネジ刻設範囲に緊締ナットを螺着した上、該下顎部の遊端には、該緊締ボルトの先端がわが嵌合可能であって、緊締ナットの座面を兼ねたＵ字型の嵌合溝が刻設してなるものとすることができる。
【００１９】
上下顎部は、それら上下顎部間に、装着対象となる剛性棒体の中途外周壁周りに一周するよう装着可能とする機能を果たし、銃座と同一か、または同様の耐食性に秀れた金属素材からなるものとするのが望ましく、剛性棒体の中途外周壁周りとの接合縁に、軟質合成樹脂製や軟質合成ゴム製などの滑り止め部品を装着したものとすることが可能であり、また、各緊締ナットは、その頭部を六角ナット型の頭部や蝶ナット型などとすることができる外、その頭部に、螺合の回転軸心に直交する方向に、バールや鉄梃などの工具類を装着可能な寸法、形状に設定した貫通孔を形成した十分な強度のリング部が一体化されてなるものとすることができる。
【００２０】
垂直軸は、雲台下部を銃座天部に回転自在且つ強固に支持可能とするものであって、実質的に、雲台を装着の対象となる剛性棒体の軸心に直交状となる軸心周りに回転自在とするよう支持可能とする機能を果たし、銃座と雲台との双方に高い強度をもって確実に連結されたものとしなければならず、後述する実施例に示すように、銃座と雲台とを離脱不能に連結されたものとするのがよく、銃座と同様に耐食性に秀れた金属製とすることができる。
【００２１】
雲台は、銃身装着体を銃座天部の垂直軸上に、同垂直軸周りの左右方向に回転動自在に支持可能とすると共に、該銃身装着体が、水平軸周りの上下方向に回動自在に強固に支持可能とする機能を果たし、雲台下部が、垂直軸に対して十分な強度をもって連結し、且つ雲台上部に水平軸が十分な強度をもって連結されたものとしなければならず、後述する実施例に示すように、垂直軸周りの左右方向の回転は、水平周り規制部にて所定角度範囲に制限されたものとし、また、水平軸周りの上下方向の回転は、銃身装着体の前端がわおよび後端がわの各下がわ周壁が、該雲台下部外周縁の対応箇所に夫々干渉し、所定角度範囲に制限されたものとすることができ、その上下方向の回転可能角度は、上下９０度未満、上下合計１８０度未満とすべきであり、また、その上下回動可能角度の範囲を変更可能とする調節機構を組み込んだものとすることが可能であって、後述する実施例に示すように、上下４５度、上下合計９０度に設定可能であり、雲台上部と雲台下部とが縦断面Ｌ字型に一体化されたものとすることができ、銃座と同様に耐食性に秀れた金属製とするのがよい。
【００２２】
水平周り規制部は、雲台の垂直軸周りの回動可能角度を所定の角度範囲に規制可能とするものであり、流体ジェットガンの重量や噴射反動などに十分に耐え得る高い強度を有して雲台の回転角度を規制可能なものとしなければならず、該左右回動可能角度の範囲を、左右９０度未満、左右合計１８０度未満とすべきであり、また、その左右回動可能角度の範囲を変更可能とする調節機構を組み込んだものとすることが可能であって、後述する実施例に示すように、銃座天部であって該垂直軸遠心がわとなる雲台下部の周縁に当接し、同雲台の垂直軸周りの回動角度を左右６０度、左右合計１２０度の角度範囲に規制可能とするよう位置決めされた状態に、上向き突設されたものとすることができる。
【００２３】
水平軸は、銃身装着体を雲台上部に回転自在且つ強固に支持可能とするものであり、実質的に、銃身装着体の軸心を垂直軸の軸心上に交叉するよう配し、且つ銃身装着体を該垂直軸に直交する水平軸心周りに回転動自在に強固に支持可能とする機能を果たすものであって、雲台上部と銃身装着体との双方に対して十分な強度をもって連結したものとしなければならず、後述する実施例に示すように、雲台上部と銃身装着体とを離脱不能に連結されたものとするのがよく、銃座と同様に耐食性に秀れた金属製とすることができる。
【００２４】
銃身装着体は、雲台上部の水平軸に対して流体ジェットガンの銃身適所を着脱容易、且つ強固に装着可能とする機能を果たし、十分な強度をもって流体ジェットガンの銃身適所を雲台上部の水平軸に回転自在に連結可能なものとしなければならず、該銃身適所に直接ボルト結合可能なものや、銃身適所の外周に嵌合状に結合可能な取付枠状のものなどとすることができる外、後述する実施例に示すように、流体ジェットガン銃身の中途適所を、そのノズル先端がわより貫通状に装着可能な寸法、形状に設定した銃身筒からなり、該銃身筒周壁の水平軸を跨ぐ２箇所か、または筒長に渡って均衡する３箇所以上かの何れか一方に、同銃身筒周壁に外がわから中心に向けて貫通するよう抑えボルトを螺着してなる仮固定機構を設けてなるものとすることができる。
【００２５】
仮固定機構は、銃身装着体に流体ジェットガンの銃身適所を着脱可能、且つ強固に装着可能とする機能を果たし、該銃身適所に直接ボルト結合可能なものや、銃身適所の外周に嵌合状に装着した取付枠状のバックル機構などとすることができる外、後述する実施例に示すように、流体ジェットガン銃身の中途適所を装着可能な銃身筒の周壁に、同銃身筒軸心に沿った２箇所以上の箇所に、外がわから中心に向けて貫通するよう抑えボルトを螺着してなるものとすることができ、各抑えボルトは、その頭部を六角ナット型の頭部や蝶ナット型などとすることができる外、その頭部に、螺合の回転軸心に直交する方向に、バールや鉄梃などの工具類を装着可能な寸法、形状に設定した貫通孔を形成した十分な強度のリング部が一体化されてなるものとすることができる。
当該流体ジェットガン用自在銃架の全ての部品は、前記銃座と同様に、ステンレス製、チタン製、アルミニウム製、およびそれらの合金製などの外、鋼製品に鍍金処理を施したものなど剛性と耐食性に秀れた金属素材製とすべきである。
【００２６】
また、この考案の流体ジェットガン用自在銃架１は、コンクリート壁ハツリ作業に留まらず、壁面洗浄、塗装剥離、下水道の清掃、石油コンビナートや発電所などの熱交換機などの配管スケールの除去、その他の大型または小型機器類の洗浄、交換や鋼板などの超高圧水利用の切断など様々な作業に利用することができる。
以下では、図面に示すこの考案を代表する実施例と共に、その構造について詳述することとする。                                                                                                          
【実施例１】
【００２７】
図１の自在銃架の側面図、図２の自在銃架の正面図、図３の自在銃架の平面図、図４の開閉するクランプ機構の側面図、図５の抑えボルトを組み込む銃身装着体の平面図、および、図６の自在銃架の斜視図に示す事例は、銃座２底部に剛性棒体９の中途部分に仮固定可能とするクランプ機構３を設け、同銃座２天部に立設した垂直軸２０に雲台４の下部４０を軸着し、同雲台４の上部４１に水平軸４２を介して流体ジェットガン６銃身６０仮固定用の銃身装着体５が軸着されてなるものとした、この考案の流体ジェットガン用自在銃架における代表的な一実施例を示すものである。
【００２８】
それら各図からも明確に把握できるとおり、この考案の流体ジェットガン用自在銃架１は、板厚１０ｍｍのステンレス鋼板製であって奥行き１００ｍｍ、幅１５０ｍｍの長方形、肉厚板状の銃座２を有し、該銃座２の中央には、垂直軸２０が同銃座２底部から天部がわに貫通し、上向き鉛直姿勢に立設、一体化してあり、同銃座２の垂直軸２０が立設された天部とは反対がわの底部には、その中央の該垂直軸２０を跨いぎ、長方形状の両短辺寄りの均衡する２箇所夫々に、装着対象となる足場用鋼管や高所作業車の作業床用バケットの手摺などの剛性棒体９の中途部分に対し、該銃座２の長辺方向が平行状となる姿勢に、仮固定可能なクランプ機構３を形成する一対のクランプモジュール３０,３０が一体化されたものとしてある。
【００２９】
該クランプ機構３の各クランプモジュール３０,３０は、該垂直軸２０を跨ぎ左右対称形状に配置、形成したものであるから、以下には、左右の中の一方の形状についてのみ説明することとする。
該クランプモジュール３０は、当該剛性棒体９の中途部分外周壁周りに一周するよう装着可能な２分割円弧状の接合縁３２,３２,３４,３４を有した上下顎部３１,３３を有しており、図１および図２中に示すように、該上顎部３１が、同上顎部３１の長辺の長さを当該銃座２の短辺（奥行き１００ｍｍ）の長さに一致させた、高さ４２ｍｍの長方形状、板厚１０ｍｍのステンレス鋼板をプレス成形し、下向きの長辺中央に、２分割円弧状の接合縁３２を形成した２枚（垂直軸２０を跨ぐ左右合計４枚）の鋼板片３１,３１からなり、各上顎鋼板片３１,３１間に１５ｍｍの間隔を隔てて、その天縁が当該銃座２底部に熔接、一体化されたものとする一方、下顎部３３は、板厚１０ｍｍのステンレス鋼板製であって、奥行き寸法が当該上顎部３１に一致する１００ｍｍの長さに設定されており、図２中に示すよう、正面形状がＵ字型の断面形状にプレス成型すると共に、３５ｍｍの間隔を隔てた２枚の下顎鋼壁３３,３３を上向きに延伸し、該上向き下顎鋼壁３３,３３の上端縁中央に２分割円弧状の接合縁３４,３４を形成したものとした上、図１中に示すように、当該上顎部３１の上顎鋼板片（３１,３１）奥行きがわとなる一方端がわ外側壁に、該下顎部３３の下顎鋼壁（３３,３３）奥行きがわとなる一方端を組み合わせ、双方の板厚方向に水平ピン３５を貫通し、図４中に示すように、該水平ピン３５を中心に、上顎部３１に対して下顎部３３が開閉自在となるよう連結したものとする。
【００３０】
また、図１および図４中に示すように、当該上顎部３１各上顎鋼板片（３１,３１）の前記水平ピン３５が貫通した奥行き端がわとは反対がわの前端寄り壁間には、緊締ボルト３６の基端環部が、同形状の水平ピン３５が貫通して前後に回動可能とするよう軸着されたものとし、同緊締ボルト３６先端がわの雄ネジ刻設範囲にワッシャー、緊締ナット３７を螺着（ワッシャーは装着）した上、該上顎部３１に閉じ合わせた場合の下顎部３３遊端には、該緊締ボルト３６の先端がわが嵌合可能であって、しかも緊締ナット３７の座面を兼ねたＵ字型の嵌合溝３９が刻設してあり、該緊締ナット３７は、その各頭部に螺合の回転軸心に直交する方向に、バールや鉄梃などの工具類を装着可能な寸法、形状に設定した貫通孔を形成した十分な強度のリング部３８が一体化されたものとなっている。
【００３１】
そして、図１ないし図３中に示すように、銃座２天部には、厚さ１０ｍｍのステンレス鋼板を縦断面形Ｌ字型に折曲した雲台４を装着し、該雲台４は、その下部４０が幅６０ｍｍ、奥行き８０ｍｍの水平板状、上部４１が高さ１００ｍｍの垂直平板状に成型されており、該下部４０の先端縁、および上部４１の上端縁の夫々を適宜曲率の円弧状に面取りし、該下部４０の先端寄り中央に、前記垂直軸２０が貫通し、当該雲台４が、同垂直軸２０周りに回転自在且つ強固に軸着されたものとしてある。
【００３２】
さらに、同図１ないし図３中に示すように、該雲台４上部４１の上端寄りの中央には、水平軸４２の基端が貫通状に軸着し、同水平軸４２の先端がわを雲台４下部４０上に向けて延伸し、且つ同水平軸４２の回転軸心が、垂直軸２０の回転軸心上に直交状の配置とするよう設定されたものとし、該水平軸４２の先端には、銃身装着体である内径３０ｍｍ、肉厚３．５ｍｍ、長さ２００ｍｍのステンレス鋼管製銃身筒５の中央外周壁を熔接、強固に結合し、該垂直軸２０の回転軸心上に、銃身筒５の中心が一致するよう配されたものとすると共に、該水平軸４２先端がわ周壁と、銃身筒５全長周壁とには、同一ステンレス鋼板製の補強板５０,５０が掛け渡し状に熔接、一体化されたものとした上、該水平軸４２が結合されたのとは反対がわとなる銃身筒５外周壁の、該水平軸４２を挟み両端がわへ７０ｍｍ（両端から中央がわへ夫々３０ｍｍ）の均衡する箇所夫々に、遠心がわから求心方向に向かうよう熔接、一体化された一対のナット部５２,５２、および、それらナット部５２,５２に螺合し、先端がわが銃身筒５周壁を貫通して、その中心に到達可能な寸法に設定された一対の抑えボルト５３,５３との組み合わせからなる仮固定機構５１を設けたものとし、各抑えボルト５３,５３の頭部には、螺合の回転軸心に直交する方向に、バールや鉄梃などの工具類を装着可能な寸法、形状に設定した貫通孔を形成した十分な強度のリング部５４,５４が夫々一体化されている。
【００３３】
図１中の白抜き矢印および波線に示すように、銃身筒５はその先端が、水平軸４２を中心に水平姿勢から、下向きに４５度の姿勢に傾けると、同銃身筒５前端下がわの外周壁が、雲台４下部４０の外縁上角に干渉し、それ以上の下向き傾斜が不能な状態に規制されるよう寸法設定してあり、また、それとは反対に銃身筒５の先端が、水平軸４２を中心に水平姿勢から、上向きに４５度の姿勢に傾けた場合にも、同銃身筒５の前端がわとは反対の後端下がわの外周壁が、雲台４下部４０の前記とは反対がわの外縁上角に干渉し、それ以上の上向き傾斜が不可能な状態に規制されるよう寸法設定されたものとしている。
【００３４】
また、図１、図２および図３中の白抜き矢印および波線に示すように、当該銃身装着体である銃身筒５が、その中心線を銃座２の短辺に平行となる中立位置から、水平方向の左右がわに夫々６０度、左右合計１２０度の範囲に、垂直軸２０中心周りに回動した場合に、同垂直軸２０を中心に回転する雲台４下部４０の幅寸法方向両外縁が夫々対応する銃座２天部に、端尺円柱状の水平周り規制部２１,２１を突設し、それ以上の垂直軸２０周りの回動操作が不可能な状態に干渉、規制可能とするよう設定されたものとしてある。
【００３５】
そして、図８中に示すように、当該流体ジェットガン用自在銃架１に装着した流体ジェットガン６の銃身装着体である銃身筒５より先に露出させた銃身６０には、ハツリ作業者８を保護可能な矩形状ステンレス鋼板製であって中央に装着孔６３と、図示しない取付け金具とを設けた防護板６２を装着したものとすることができる。
【００３６】
（実施例１の作用）
以上のとおりの構成からなるこの考案の流体ジェットガン用自在銃架１は、表面が劣化したコンクリート壁のハツリ作業を効率的に行えるようにするものであり、以下では、前記図１ないし図６に加えて、図７のハツリ作業状態の斜視図、および、図８の防護板を用いたハツリ作業状態の斜視図を参照しながら、その使用手順に従って流体ジェットガン用自在銃架１の作用について示して行くこととする。
【００３７】
当該流体ジェットガン用自在銃架１、流体ジェットガン６および図示しない高圧流体供給源をハツリ工事現場に搬入し、ハツリ対象のコンクリート壁（図示せず）に対し適切な距離を隔てて設置された足場用鋼管９の中途部分上がわ周壁に、図４中に示すように、該流体ジェットガン用自在銃架１、銃座２底部のクランプ機構３を形成する各クランプモジュール３０,３０の上顎部３１,３１の上顎接合縁３２,３２を接合するよう載置し、各上顎部３１,３１との間に足場用鋼管９の中途部分を挟み込むよう、一方端がわの水平ピン３５を中心に下顎部３３,３３を閉じ合わせ、下顎接合縁３４,３４が足場用鋼管９の中途部分の下がわ周壁に接合されたものとすると共に、同図４中の実線で示す各緊締ボルト３６,３６を、それら基端環部が軸着された水平ピン３５,３５を中心に垂下姿勢とするよう操作して、同図４中の二点鎖線に示すよう、閉鎖姿勢の各下顎部３３,３３遊端がわの嵌合溝３９,３９（図６中に示す）に、各緊締ボルト３６,３６の先端がわ雄ネジ刻設範囲を嵌合状とした上、図１、図２および図３中に示すように、それら緊締ボルト３６,３６の先端より、ワッシャーおよび緊締ナット３７,３７を螺着して強固に締め付け固定したものとする。
【００３８】
各緊締ナット３７,３７を緊締する段階では、銃座２天部の雲台４、および銃身筒５の各可動角度範囲とその向き、ならびに、ハツリ作業の際の作業者８の保持、構え姿勢などを考慮して位置決めし、適正な角度に取り付けるべきであり、また、各緊締ナット３７,３７を緊締操作する場合には、それら緊締ナット３７,３７の各頭部に一体化形成された各リング部３８にバールや鉄梃などの工具類を貫通状に装着して、強固に締め付けるようにすることが可能である。
【００３９】
足場用鋼管９の中途部分に該流体ジェットガン用自在銃架１を強固にクランプ固定した後、図１ないし図５および図７中に示すように、該銃座２天部の雲台４上部４１の銃身装着体である銃身筒５に、流体ジェットガン６銃身６０を、そのノズル先端６１がわから装着すると共に、同流体ジェットガン６の重心付近となる銃身６０中途適所が銃身筒５内であって、垂直軸２０および水平軸４２の交点付近に位置するよう調節してから、仮固定機構５１の各抑えボルト５３,５３を確りと締め付けて強固に固定したものとする。
図５中に示すように、各抑えボルト５３,５３を緊締する場合にも、それら各頭部に一体化されているリング部５４,５４にバールや鉄梃などの工具類を装着して回転、締め付け操作するものとする。
【００４０】
このようにして、図７中に示すように、流体ジェットガン用自在銃架１仮固定機構５１にて流体ジェットガン６を確りと取り付けた後、同流体ジェットガン６基部に図示しない高圧流体供給源から延伸された耐圧ホース７を接続し、作業準備を終え、各部の安全確認を確実に行ってから、１人のハツリ作業者８が両足を作業床に踏み込み、中腰姿勢で該流体ジェットガン６基端がわを脇に挟み込むようにして、銃身６０を両手で保持するように構えた姿勢となり、同流体ジェットガン６のノズル先端６１を目標となるコンクリート壁（図示せず）に向けてから、周囲の再度安全を確認した上で高圧流体を該流体ジェットガン６に送り込み、同流体ジェットガン６銃身６０を上下左右に指向操作しながら高圧流体を吹き付けてハツリ作業を開始する。
【００４１】
流体ジェットガン６は、図１中に示すように、そのノズル先端６１がわが、水平軸４２を中心に、水平姿勢より上下夫々に４５度、上下合計９０度の範囲で自在に上下動操作可能であり、下向き４５度に傾斜すると、銃身筒５先端がわの下がわ周壁が、雲台４下部４０の外周縁の対応箇所に干渉し、下向き４５度を超えて傾斜しないよう制限されるものとなり、また、上向き４５度に傾斜すると、銃身筒５後端がわの下がわ周壁が、雲台４下部４０の外周縁の対応箇所に干渉し、上向き４５度を超えて傾斜しないよう制限されるものとなる。
【００４２】
また、流体ジェットガン６は、図３中に示すように、そのノズル先端６１が、垂直軸２０を中心に、銃座２天部の中立位置より左右夫々に６０度、左右合計１２０度の範囲で自在に左右動操作可能となっていて、左に６０度回転操作すると、雲台４下部４０外周縁の対応箇所が、一方の水平周り規制部２１に干渉し、左に６０度を超えた回転操作を強制的に規制するものとなり、また、右に６０度回転操作すると、雲台４下部４０外周縁の対応箇所が、左回転とは別の他方の水平周り規制部２１に干渉し、右に６０度を超えた回転操作を強制的に規制可能とするものとなる。
【００４３】
上下左右指向可能範囲の劣化したコンクリート表層を剥離、除去するよう作業を進め、該クランプ固定箇所でのハツリ可能範囲のコンクリート表層の剥離、除去を終えた後には、該流体ジェットガン６からの流体噴射を一旦停止し、図４に示すように、当該クランプ機構３を緩めるか、一旦取り外すかしてから、次のハツリ可能範囲となるコンクリート壁に対峙する位置に該流体ジェットガン６諸共移動し、適切な高さ位置の足場用鋼管９の中途部分に該クランプ機構３をクランプ固定して、装着状態および周囲の安全を十分に確認した上、図７中に示すように、再びハツリ作業者８が流体ジェットガン６を構えて目標となるコンクリート壁に向けて高圧流体を吹き付け、ハツリ作業を行うという一連の作業手順を複数回繰り返して建造物のコンクリート壁をはつるようにする。
【００４４】
また、ハツリ作業を行う際には、図８中に示すように、流体ジェットガン用自在銃架１に適正に装着、固定した流体ジェットガン６のノズル先端６１がわとなる銃身６０中途適所に、防護板６２を確りと装着し、高圧流体で剥がれ飛ぶコンクリート片や粉塵を伴う高圧流体の飛沫などからハツリ作業者８の身を守るものとすることが可能である。
【００４５】
（実施例１の効果）
以上のような構成からなる実施例１の流体ジェットガン用自在銃架１は、前記この考案の効果の項で記載の特徴に加え、全ての部品を市販のステンレス鋼板やステンレス鋼管およびステンレス製ネジ、ワッシャー類などの組み合わせとし、耐食性に秀れ、軽量、コンパクトで耐久強度も高く、装着対象の剛性棒体９中途部分への取り付け作業、および、ハツリ作業といった現場作業のみに留まらず、輸送や保管、メンテナンスなどの保守、維持、管理を含めた作業全体の効率を各段に高めることができる。
【００４６】
また、図２および図６中に示すように、クランプ機構３の各クランプモジュール３０が夫々、所定間隔を隔てた２枚の上顎鋼板片（上顎部）３１,３１と、それらに嵌合状に組み合わせ可能な縦断面形Ｕ字型の下顎鋼壁（下顎部）３３,３３との組み合わせからなるものとし、しかも垂直軸２０を挟んで２固のクランプモジュール３０,３０が均衡する配置となるよう設けられており、装着対象の剛性棒体９中途部分に対して、より一段と高い強度で仮固定することができるものとなる。
【００４７】
そして、当該流体ジェットガン用自在銃架１は、その銃身筒５の雲台４下部４０への干渉構造や、水平周り規制部２１,２１が、該銃身筒５に装着した流体ジェットガン６銃身６０の上下傾動可能範囲を、上下夫々４５度、上下合計９０度の範囲に制限し、左右回動可能範囲を、左右夫々６０度、左右合計１２０度の範囲に規制されたものとし、ハツリ作業者８が、濡れた作業床上で足を滑らせ、バランスを崩してしまった場合などにも、流体ジェットガン６のノズル先端６１の向きを安全範囲に留めるものとなり、各段に高い安全性を確保することができるものとなる。
【００４８】
さらに、図８中に示すような、防護板６２を流体ジェットガン６銃身６０の適所に装着すると、粉塵を含む飛沫や剥がれ飛ぶコンクリート片などから、ハツリ作業者８をより確実に保護することができるようになり、ハツリ作業の安全性を各段に高めて、ハツリ作業者８への労働負担や精神的ストレスを大幅に軽減することができるようになるという秀れた効果を発揮するものとなる。
【００４９】
（結  び）
叙述の如く、この考案の流体ジェットガン用自在銃架は、その新規な構成によって所期の目的を遍く達成可能とするものであり、しかも製造も容易で、従前からの遠隔操作用の重機を用いたもののような場合に比較して、各段に軽量且つ低廉化して遥かに経済的なものとすることができる上、作業者への労働負担を大幅に軽減し、安全性を高めたものとすることができ、従前までの流体ジェットガンの操作には、身体的、精神的に過大なストレスを伴い、安全の確保が非常に困難なものとされ、これまで危険性を懸念しながら高圧流体を用いた各種作業に従事していた個々の作業者や、現場管理者はもとより、こうした課題を克服できずに断念せざるを得なかった建設業界および建設機器業界などにおいても高く評価され、広範に渡って利用、普及していくものになると予想される。                                                            
【図面の簡単な説明】
【００５０】
図面は、この考案の流体ジェットガン用自在銃架の技術的思想を具現化した代表的な幾つかの実施例を示すものである。
【図１】流体ジェットガン用自在銃架を示す側面図である。
【図２】流体ジェットガン用自在銃架を示す正面図である。
【図３】流体ジェットガン用自在銃架を示す平面図である。
【図４】開閉操作中のクランプ機構を示す側面図である。
【図５】抑えボルトを組み込む銃身筒を示す平面図である。
【図６】流体ジェットガン用自在銃架を示す斜視図である。
【図７】ハツリ作業の状態を示す斜視図である。
【図８】防護板を用いたハツリ作業の状態を示す斜視図である。
【符号の説明】
【００５１】
１      流体ジェットガン用自在銃架
２      銃座
２０    同  垂直軸
２１    同  水平周り規制部
３      クランプ機構
３０    同  クランプモジュール
３１    同  上顎鋼板片（上顎部）
３２    同  上顎接合縁
３３    同  下顎鋼壁（下顎部）
３４    同  下顎接合縁
３５    同  水平ピン
３６    同  緊締ボルト
３７    同  緊締ナット
３８    同  リング部
３９    同  嵌合溝
４      雲台
４０    同  雲台下部
４１    同  雲台上部
４２    同  水平軸
５      銃身筒（銃身装着体）
５０    同  補強板
５１    同  仮固定機構
５２    同  ナット部
５３    同  抑えボルト
５４    同  リング部
６      流体ジェットガン
６０    同  銃身
６１    同  ノズル先端
６２    同  防護板
６３    同  装着孔
７      耐圧ホース（高圧流体供給源）
８      ハツリ作業者
９      剛性棒体                                                                                                    
【図１】
0003147784.tif 000003
【図２】
0003147784.tif 000004
【図３】
0003147784.tif 000005
【図４】
0003147784.tif 000006
【図５】
0003147784.tif 000007
【図６】
0003147784.tif 000008
【図７】
0003147784.tif 000009
【図８】
0003147784.tif 000010